(57)【要約】【課題】ガラスに貼ったカラーフィルムに圧力をかけた状態で放置すると、カラーフィルムに変色が発生する。【解決手段】硬質透明板１１の裏面に貼った半透光部材１６であるカラーフィルムの固定ねじ１３の周辺に、緩衝材１８を貼り付け圧力を緩和し、変色を防止する。【選択図】図１
2007333220.tif 000002
【特許請求の範囲】
【請求項１】
筐体の外面板と、前記外面板の表面を覆って設けた硬質透明板と、前記硬質透明板の裏面に貼り付けられ着色した半透光部材と、前記硬質透明板、半透光部材を前記外面板に固定する固定手段と、前記固定手段の周辺であって、半透光部材と前記外面板との間に介在した緩衝材を備えた機器の筐体。
【請求項２】
緩衝材は、薄い押さえ用フィルムで構成した請求項１記載の機器の筐体。
【請求項３】
操作部は、固定手段である固定ねじを固定するためのナット部を設けた請求項１記載の機器の筐体。
【請求項４】
半透光部材は、印刷により着色したカラーフィルムで構成された請求項１記載の機器の筐体。
【発明の詳細な説明】
【技術分野】
【０００１】
本発明は、電気調理器、ガス温風暖房機、その他機器の筐体に関するものである。
【背景技術】
【０００２】
従来、この種の温風暖房機は図３に示すように、バーナー１を備え、供給されたガスの燃焼を行う。そして、前記燃焼により発生した排気ガスと空気を混合する燃焼室２を備えている。バーナー１の下方には、温風３を送出するための対流用ファン４を設けている。対流用ファン４の前方には、温風を導くルーバー５を取り付けた温風吹出し口７が設けてある。温風暖房機の外郭であるケース６の後面には、対流用空気を取り入れるための網目状の対流用フィルター８が設けてある。ケース６の前面には、前板９が構成され、その上部には樹脂で成型された操作部１０が配置されている。前板９と操作部１０の前面には、ガラス１１が設けられている。ガラス１１には、複数の取付穴が開けられ、複数の固定ねじ１３により操作部１０に固定されている。ガラス１１の裏面にはシルク印刷等の印刷面１４が形成され、さらに飛散防止用フィルム１５が貼り付けられている。また、ガラス１１には加飾印刷せず飛散防止用フィルム１５に印刷することもある。  
【０００３】
温風暖房機の温風暖房部はバーナー１でガスを燃焼させ、発生する高温の排気ガスと、燃焼室２の燃焼風路内で対流用ファン４により吸引され対流用フィルター８を通過した対流用空気が混合される。前記混合された温風は、対流用ファン４によってケース６の前面下部の温風吹出し口７から温風３になって送出され暖房を行なう。（例えば、特許文献１参照）。
【特許文献１】特開２００５−２７３９３８号公報
【発明の開示】
【発明が解決しようとする課題】
【０００４】
しかしながら、上記従来の構成で、ガラス１１はの取付穴を通して固定ねじ１３で操作部１０に固定するため、ガラス１１の裏面に貼り付けられた印刷面１４である印刷されたカラーフィルムが直接、前板６や操作部１０に強く押さえつけられ圧力が加わるため、特に操作部１０の樹脂と前板６の段差や、操作部１０の固定ねじ１３による周辺での凹みの圧力跡がカラーフィルムに付いてしまう。
【０００５】
従って、温風暖房機の前面から見ると、上記の跡が目立ち、変色しているように感じ、デザイン性はもちろん、点滅する表示等あった場合には、これを阻害するという課題を有していた。
【０００６】
前記従来の課題に鑑み、本発明が解決しようとする課題は、上記の圧力跡の発生を防止し、デザイン性等を向上させる機器の筐体を提供することにある。
【課題を解決するための手段】
【０００７】
上記課題を解決するために、本発明の機器の筐体は、筐体の外面板と、前記外面板の表面を覆って設けた硬質透明板と、前記硬質透明板の裏面に貼り付けられ着色した半透光部材と、前記硬質透明板、半透光部材を前記外面板に止める固定手段と、前記固定手段の周辺であって、半透光部材と前記外面板との間に介在した緩衝材を備えたものである。
【０００８】
これによって、半透光部材が押さえつけられることによる圧力跡の発生を防止し、デザイン性の向上はもちろん、阻害されない表示を可能にするものである。
【発明の効果】
【０００９】
本発明の機器の筐体は、硬質透明板の取り付けによる半透光部材が他の部品に押さえつけられることによる圧力跡の発生を防止でき、デザイン性の向上と機能表示をする際にもし易くなる。
【発明を実施するための最良の形態】
【００１０】
第１の発明は、筐体の外面板と、前記外面板の表面を覆って設けた硬質透明板と、前記硬質透明板の裏面に貼り付けられ着色した半透光部材と、前記硬質透明板、半透光部材を前記外面板に止める固定手段と、前記固定手段の周辺であって、半透光部材と前記外面板との間に介在した緩衝材を備えたものである。
【００１１】
これによって、半透光部材が押さえつけられることによる圧力跡の発生を防止でき、前記圧力跡がなくなり硬質透明板の表面に現れる色が均一になりデザイン性を向上させることができるとともに、点滅による機器の機能表示等をする場合にもし易くなる。
【００１２】
第２の発明は、特に、第１の発明の緩衝材を、薄い押さえ用フィルムで構成しているので、この構成を安価に実現できる。  
【００１３】
第３の発明は、特に、第１の発明の外面板に、固定手段である固定ねじを固定するためのナット部を設けた構成にしているので、確実に皇室透明板を固定できる。
【００１４】
第４の発明は、特に、第１の発明の半透光部材を、印刷により着色したカラーフィルムで構成しているので、この構成を安価に実現できる。
【００１５】
以下、本発明の実施の形態について、図面を参照しながら説明する。なお、本実施の形態によって本発明が限定されるものではない。また、本実施の形態の説明において、同一構成で同一作用効果を奏するところには同一符号を付して重複した説明を行わないものとする。
【００１６】
（実施の形態１）
図１は、本発明の機器の操作部装置を採用した温風暖房機の断面図で、  図２は、同ガラスを裏面から見た斜視図である。
【００１７】
図１において温風暖房機は、温風暖房部である、供給されたガスの燃焼を行うバーナー１と、これを覆い、前記燃焼により発生した排気ガスと室内等の空気を混合する燃焼室２と、バーナー１の下方に配置し、前記混合により生じた温風３を送出するための対流用ファン４と、前記対流用ファン４の前方にあって、温風３を導くルーバー５を取り付けた温風吹出し口７を備えている。温風暖房機のケース６は、温風暖房機の外郭を成す筐体で、後面には対流用空気を取り入れるための網目状の対流用フィルター８が設けられ、筐体の一外面板である前面を成す前板９及びその上部には合成樹脂で成型された操作部１０が配置されている。
【００１８】
操作部１０には、温風暖房機の運転に必要な制御部、LED等の運転等の表示部、操作ツマミ等が設けられている。筐体の一外面板である前面を成す前板９と操作部１０の前面には、装飾等を兼ねた板状のガラス、プラスチックス等の硬質透明板１１が設けられている。硬質透明板１１には複数の取付取１７が開けられ、この取付穴１７を貫通して操作部１０にナット１９に締め付けて止めた複数の固定ねじ１３により固定されている。硬質透明板１１はその裏面に、内部を見え難くするため着色によりやや光を透すようにした半透光部材１６が貼り付けられている。固定ねじ１３、ナット１９は硬質透明板１１の固定手段を構成し、図１では１箇所のみ示しているが、硬質透明板１１の上側の２箇所と下側は他
の固定手段で固定している。
【００１９】
半透光部材１６は、その裏側の取付穴１７周辺に、緩衝材１８を貼り付けて、前記締め付けによる硬質透明板１１と操作部１０の前面及び前板９に挟まれた半透光部材１６への圧力が緩和されるようにしている。緩衝材１８は、図２のように２枚に分けてもよいし、左右の部品をつなげて、一枚にしてもよい。  
【００２０】
以上のように構成された温風暖房機について、以下その動作・作用について説明する。
【００２１】
温風暖房部はバーナー１でガスを燃焼させ、発生する高温の排気ガスと、燃焼室２の燃焼風路内で対流用フィルター８を通過した対流用空気が混合される。混合された温風は、対流用ファン４によって前面下部の温風吹出し口７から温風３になって送出され室内の暖房を行う。
【００２２】
このような機器にあって、硬質透明板１１は取付穴１７を通して固定ねじ１３の締め付けにより操作部１０に固定されている。前記締め付けのトルクは１〜２Ｎ・ｍであり、半透光部材１６の取付穴１７周辺部は操作部１０に押さえつけられている。そして、操作部１０には、金型の構成により、表面に凹部が設けられることがあり、従来はこの凹部のエッジの跡が半透光部材１６に発生する場合があったが、半透光部材１６の取付穴１７の周辺に貼り付けた緩衝材１８により、前記締め付けによる硬質透明板１１と操作部１０の前面及び前板９に挟まれた半透光部材１６への圧力が緩和され、前記押さえつけられることによる半透光部材１６の変色の発生を防止できる。
【００２３】
以上のように本実施例においては、硬質透明板１１の表面に現れる色を均一にでき、デザイン性が向上することができるとともに、ＬＥＤ等の点滅による機能表示をした場合でも、変色による表示阻害を気にすることなく、容易に表示することが可能になる。
【００２４】
なお、本実施の形態では、硬質透明板１１、半透光部材１６は温風暖房機の前板９、操作部１０の前面の全体にわたって配置したが、地肌が見えて具合が悪い前板または操作部である場合は、その一方だけでもよいものである。
【００２５】
また、本実施の形態では半透光部材１６を裏面に貼り付けた硬質透明板１１を温風暖房機の一外面である前面のみに設けたが、これに限定されるものではなく、人の目に入りやすく高級感を出したい機器の他の外面に設けても良いものである。
【００２６】
また、本実施の形態で緩衝材１８は、その目的と経済的効果を果たすため、固定ねじ１３の周辺部分の半透光部材１６の裏面にだけ設けたが、半透光部材１６の裏面の全体に設けても本実施の形態と同等の作用効果を期待できるものである。
【００２７】
（実施の形態２）
本実施の形態は、緩衝材１８の構成において、実施の形態１の発明と異なるだけで、それ以外の構成並びに作用効果は同じなので、図１、図２を利用して説明する。図１において緩衝材１８は、薄い押さえ用フィルムで構成したものである。材質は一般的に使用されているＰＥＴを用い、厚さは１００μｍ〜１５０μｍ程度である。よって、この構成を安価に、しかも容易に実現できる。
【００２８】
（実施の形態３）
本実施の形態は、固定ねじ１３を止めるナット１９の構成において、実施の形態１の発明と異なるだけで、それ以外の構成並びに作用効果は同じなので、図１、図２を利用して説明する。操作部１０には、固定ねじ１３を止めて固定するためのナット１９を予め嵌め
込んでいる。一般的に合成樹脂材にねじを固定すると高いトルクを得られないため、ねじがはずれる可能性が高い。
【００２９】
然るに本実施の形態では合成樹脂性の操作部１０にナット１９を予め溶着あるいは嵌め込んでいるので、これに固定ねじ１３をねじ込むので確実に固定できる。
【００３０】
（実施の形態４）
本実施の形態は、半透光部材１６の構成において、実施の形態１の発明と異なるだけで、それ以外の構成並びに作用効果は同じなので、図１、図２を利用して説明する。半透光部材１６は、印刷で着色を施したカラーフィルムで構成されている。材質はＰＥＴであり、安価にこの構成を実現できる。
【産業上の利用可能性】
【００３１】
以上のように本発明によれは、押さえようの緩衝材を貼ることにより、カラーフィルムの圧力による変色を防止できて機器前面から見たときのデザイン性が向上するもので、電気調理器、他の暖房器具、その他機器の外面に適用できる。
【図面の簡単な説明】
【００３２】
【図１】本発明の実施例１における温風暖房装置の断面図
【図２】本発明の実施例１におけるガラスの詳細図
【図３】従来例における温風暖房装置の断面図
【符号の説明】
【００３３】
６    ケース（筐体）
９    前板（外面板）
１０  操作部（外面板）
１１  硬質透明板
１３  固定ねじ（固定手段）  
１６  半透光部材
１８  緩衝材
１９  ナット（固定手段）
【図１】
2007333220.tif 000003
【図２】
2007333220.tif 000004
【図３】
2007333220.tif 000005